(57)【要約】      （修正有）【課題】シングルキーを介しディスプレイを制御する方法を提供する。【解決手段】ディスプレイがオフ時、ディスプレイのシングルキーの押圧でディスプレイをオンにし、ディスプレイがオン時、シングルキーを数秒押圧することでスクリーン上にOSDメニューを表示し、OSDメニューに進入時、シングルキー中の押圧でOSDメニューを閲覧し、ポインタがOSDメニューのオプションに停留時、シングルキーの連続押圧でオプションを触発し、オプション触発時、オプションがサブメニューを含めば、サブメニューに入り且つシングルキーの押圧でサブメニューを閲覧し、シングルキーの連続押圧でサブメニューのオプションを触発し、オプションが数値又はオプションの設定を含めば、シングルキーの押圧でオプションの設定を変更し且つシングルキーを数秒押圧することでオプション設定を完成し、OSDメニューを退出する。【選択図】図３
2012237929.tif 000002
【特許請求の範囲】
【請求項１】
ディスプレイがオフとなっている時、前記ディスプレイのシングルキーを押圧し、前記ディスプレイをオンにする；
前記ディスプレイがオンとなっている時、前記シングルキー数秒押圧し、前記ディスプレイのスクリーン上にスクリーンディスプレイメニューを表示させる;
前記スクリーンディスプレイメニューに入っている時、前記シングルキーを押圧し、前記スクリーンディスプレイメニューを閲覧し、ポインタが前記スクリーンディスプレイメニューの機能オプションに停留する時、前記シングルキーを連続押圧することにより前記機能オプションを触発する;
前記機能オプションを触発時、触発された前記機能オプションがサブメニューを含めば、該サブメニューに入り、且つ同様に、前記シングルキー中の前記電源キー又は前記メニューキーを押圧することにより、サブメニューを閲覧し、前記シングルキーを連続押圧し、前記サブメニューの前記機能オプションを触発する；
触発された前記機能オプションが数値又はオプションの設定を含む場合、前記シングルキーを押圧することにより、前記機能オプションの設定を変更し、且つ前記シングルキーを数秒押圧することにより、前記機能オプションの設定を完成し、前記スクリーンディスプレイメニューを退出することを含むシングルキーを介しディスプレイを制御する方法。
【請求項２】
前記ポインタが停留する前記機能オプションをカラーで表示し、その残りの機能オプションをグレースケールで表示する請求項１に記載のシングルキーを介しディスプレイを制御する方法。
【請求項３】
前記機能オプションの設定は、値の増加又は減少、イエス又はノー、オン又はオフを含む請求項１に記載のシングルキーを介しディスプレイを制御する方法。
【発明の詳細な説明】
【技術分野】
【０００１】
本発明は、ディスプレイを制御する方法に関し、特に、シングルキーを介しディスプレイを制御する方法に関する。
【背景技術】
【０００２】
現在のディスプレイの多くは、スクリーンディスプレイ(On Screen Display,OSD)機能を有し、OSD機能によりディスプレイの音量、コントラスト、色味又は輝度等を含むディスプレイの設定値を調整することができる。OSD機能は、ディスプレイ内部のOSDモジュールによりディスプレイ上にOSDメニューを表示し、OSDメニューにより多種の画像、フォーム又は数字からなる機能オプションを表示し、使用者に設定をさせる。
【０００３】
OSD機能を使用する利点は、以下を含む：1.パソコンを介さずに、直接ディスプレイ上のプッシュボタンによりディスプレイの表示方式を制御することができる。2.パソコン、パソコン内の駆動プログラムを介さず、ディスプレイのコントラスト、輝度及びその他の設定値を調整できる。
【０００４】
しかしながら、新技術に発展させることができれば、ディスプレイにただ少量のプッシュボタンを介しOSD機能を達成させ、ディスプレイの生産コストを低減し、市場の競争力を向上することができる。
【発明の概要】
【発明が解決しようとする課題】
【０００５】
本発明の目的は、ディスプレイがただ少量のプッシュボタンを介しOSD機能を達成し、更にディスプレイ上のプッシュボタンの数量を減少し、生産コストを低減することができるシングルキーを介しディスプレイを制御する方法を提供する。
【課題を解決するための手段】
【０００６】
上記の目的を達成する為、本発明が提供するシングルキーを介しディスプレイを制御する方法は、以下を含む：ディスプレイがオフとなっている時、ディスプレイのシングルキーを押圧し、ディスプレイをオンにする；ディスプレイがオンとなっている時、シングルキーを数秒押圧し、ディスプレイのスクリーン上にスクリーンディスプレイ(On-Screen Display,OSD)メニューを表示させる;OSDメニューに入っている時、シングルキーを押圧し、OSDメニューを閲覧し、ポインタがOSDメニューの機能オプションに停留する時、シングルキーを連続押圧し、機能オプションを触発する;機能オプションを触発時、触発された機能オプションがサブメニューを含んでいれば、サブメニューに進入し、且つ同様にシングルキーを押圧することによりサブメニューを閲覧し、シングルキーを連続押圧し、サブメニューの機能オプションを触発する；触発された機能オプションが数値又はオプションの設定を含む場合、シングルキーを押圧することにより、機能オプションの設定を変更し、且つシングルキーを数秒押圧することにより、機能オプションの設定を完成し、OSDメニューを退出する。
【０００７】
上記のシングルキーを介しディスプレイを制御する方法において、ポインタが停留する機能オプションをカラーで表示し、その残りの機能オプションをグレースケールで表示する。
【０００８】
上記のシングルキーを介しディスプレイを制御する方法において、機能オプションの設定は、値の増加又は減少、イエス又はノー、オン又はオフを含む。
【０００９】
上記のシングルキーを介しディスプレイを制御する方法において、スクリーンディスプレイメニューがスクリーンディスプレイデータに対応し、スクリーンディスプレイデータがメモリ中に保存される。
【００１０】
上記のシングルキーを介しディスプレイを制御する方法において、メモリは、不揮発性メモリである。
【００１１】
上記のシングルキーを介しディスプレイを制御する方法において、メモリは、フラッシュメモリである。
【発明の効果】
【００１２】
これにより、本発明が記載するシングルキーを介しディスプレイを制御する方法は、シングルキーを介しOSDモジュールを触発し、OSDモジュールにスクリーン上でOSDメニューを形成させ、シングルキーを介しOSDメニュー上の機能オプションを設定し、このように、ディスプレイがただ少量のプッシュボタンを介しOSD機能を達成し、ディスプレイ上のプッシュボタンの数量を減少し、生産コストを低減し、市場の競争力を向上することができ、非常に実用的である。
【図面の簡単な説明】
【００１３】
【図１】ディスプレイの回路ブロック説明図である。
【図２】ディスプレイのスクリーン上にOSDメニューを形成するフロー図である。
【図３】本発明のシングルキーを介しディスプレイを制御する方法のフロー図である。
【発明を実施するための形態】
【００１４】
当業者に本発明の上記及びその他の目的、特徴及び利点を分かり易くするため、下記に具体的実施例を挙げ、図面に合わせて詳細に説明を行う。
【００１５】
本発明は、シングルキーを介しディスプレイを制御する方法を提供する。図１は、ディスプレイの回路ブロック説明図である。図１を参照し、ディスプレイ１は、スクリーン１１、スクリーンディスプレイ(On-Screen Display,OSD)モジュール１２、メモリ１３、マイクロコントローラ１４及びシングルキー１５を含む。OSDモジュール１２は、スクリーン１１上にOSDメニューを形成することに用いる。OSDモジュール１２は、内部集積回路(Inter-Integrated Circuit,IIC)バスを介し、ディスプレイ１の音量、コントラスト、色味又は輝度等の内に含むデータを受信し、OSDモジュール１２が受信したOSDデータに基づき、スクリーン１１上にOSDメニューを形成する。メモリ１３は、不揮発性メモリ(Non-Volatile Random Access Memory,NVRAM)又はフラッシュメモリ(Flash Memory)であることができ、メモリ１３がOSDモジュール１２に電気接続し、メモリ１３は、OSDデータを保存することに用いる。マイクロコントローラ１４は、メモリ１３に電気接続し、マイクロコントローラ１４が触発される時、トリガ信号を判別し、トリガ信号に基づき、メモリ１３を制御し、メモリ１３中の相応するOSDデータをOSDモジュール１２に伝達する。シングルキー１５は、マイクロコントローラ１４に電気接続し、シングルキー１５は、トリガ信号を発生し、マイクロコントローラ１４を触発することに用いる。
【００１６】
図２は、ディスプレイのスクリーン上にOSDメニューを形成するフロー図である。図１及び図２を参照し、先ず、ステップ１２：使用者は、ディスプレイ１のシングルキー１５を押圧することにより、トリガ信号を発生し、ディスプレイ１のマイクロコントローラ１４によりトリガ信号を判別する；
ステップ２２:ディスプレイ１のマイクロコントローラ１４は、トリガ信号に基づき、メモリ１３を制御し、メモリ１３中の相応するOSDデータをOSDモジュール１２に伝送する;
ステップ２３:ディスプレイ１のOSDモジュール１２がOSDデータを受信し、スクリーン１１上にOSDデータが対応するOSDメニューを形成する。
【００１７】
図３は、本発明のシングルキーを介しディスプレイを制御する方法のフロー図である。図１及び図３を参照し、先ず、ステップ３１：ディスプレイ１がオフとなっている時、ディスプレイ１のシングルキー１５を押圧し、ディスプレイ１をオンにする;
ステップ３２:ディスプレイ１がオンとなっている時、シングルキーを数秒押圧し、ディスプレイ１のスクリーン１１上にOSD画面を表示させる;
ステップ３３: OSDメニューに入る時、シングルキー１５を押圧することにより、OSDメニューを観覧し、ポインタがOSDメニューの機能オプションに停留する時、シングルキー１５を連続押圧することにより、機能オプションを触発し、実施例において、ポインタが停留する機能オプションは、カラーで表示し、その残りの機能オプションは、グレースケールで表示する；
ステップ３４：機能オプションを触発する時、触発される機能オプションがサブメニューを含む場合、サブメニューに入り、且つ同様にシングルキー１５を押圧することにより、サブメニューを観覧し、シングルキー１５を連続押圧することにより、サブメニューの機能オプションを触発する;
ステップ３５：触発された機能オプションが数値又はオプションの設定を含む場合、例えば、機能オプションの近傍に数値又はオプションが出現する場合、シングルキー１５を押圧し、機能オプションの設定を変更し、例えば、値の増加又は減少、イエス又はノー、オン又はオフを行い、且つシングルキー１５を数秒押圧することにより、機能オプションの設定を完成し、OSDメニューから退出する。
【００１８】
例えば、OSDメニュー中に輝度の機能オプションを有し、ポインタがOSDメニューの輝度の機能オプションに停留する時、輝度の機能オプションがカラーで表示され、その残りの機能オプションがグレースケールで表示され、シングルキー１５を連続押圧することにより輝度の機能オプションを触発する。輝度の機能オプションがサブメニューを含まず、数値の設定を含むので、輝度の機能オプションを触発後、例えば、輝度の機能オプション近傍に現在の輝度の数値(例えば、0〜100中の何れか１つの整数)を出現し、シングルキー１５を押圧することにより機能オプションの設定を更新し、例えば、値を増加するか（100まで増加させれば、0に跳ぶ）、値を減少する（0まで減少させれば、100に跳ぶ）。
【００１９】
上記のように、本発明が記載するシングルキーを介しディスプレイを制御する方法は、シングルキーを介し、OSDモジュールを触発し、OSDモジュールに、スクリーン上にOSDメニューを形成させ、シングルキーにより、OSDメニュー上の機能オプションを設定し、このように、ディスプレイは、ただ少量のプッシュボタンでOSD機能を達成し、ディスプレイ上のプッシュボタンの数量を減少し、生産コストを低減し、市場競争力を向上し、非常に実用的である。
【００２０】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００２１】
１  ディスプレイ
１１  スクリーン
１２  OSDモジュール
１３  メモリ
１４  マイクロコントローラ
１５  シングルキー
Ｓ２１  使用者がディスプレイのシングルキーを押圧することによりトリガ信号を発生し、ディスプレイのマイクロコントローラによりトリガ信号を判別する
Ｓ２２  ディスプレイのマイクロコントローラがトリガ信号に基づきメモリを制御し、メモリ中の相応するOSDデータをOSDモジュールに伝送する
Ｓ２３  ディスプレイのOSDモジュールがOSDデータを受信し、スクリーン上にOSDデータが対応するOSDメニューを形成する
Ｓ３１  ディスプレイがオフとなっている時、ディスプレイのシングルキーを押圧し、ディスプレイをオンにする
Ｓ３２  ディスプレイがオンとなっている時、シングルキーを数秒押圧し、ディスプレイのスクリーンにOSDメニューを表示させる
Ｓ３３  OSDメニューに進入時、シングルキーを押圧し、OSDメニューを閲覧し、ポインタがOSDメニューの機能オプションに停留している時、シングルキーを連続押圧することにより該機能オプションを触発する
Ｓ３４  機能オプションを触発する時、触発された機能オプションがサブメニューを含む場合、サブメニューに入り、且つ同様にシングルキーを押圧することにより、サブメニューを閲覧し、シングルキーを連続押圧することによりサブメニューの機能オプションを触発する
Ｓ３５  触発された機能オプションが数値又はオプションの設定を含む場合、シングルキーを押圧することにより、機能オプションの設定を変更し、且つシングルキーを数秒押圧することにより機能オプションの設定を完成し、OSDメニューを退出する
【図１】
2012237929.tif 000003
【図２】
2012237929.tif 000004
【図３】
2012237929.tif 000005